(57)【要約】  【課題】証拠写真としての信頼性が高いデジタル画像の撮影、記録をすることができる。  【解決手段】撮影された被写体像は、まず所定の圧縮フォーマットのデータとしてメモリ１３２に保存され、メモリに保存された画像データに時刻情報（年月日、時刻など）、シャッタースピード、ＩＳＯ感度などの付加情報をタグに記録して、所定の画像記録フォーマット（たとえばＥｘｉｆ形式）の画像ファイルを生成する。生成された画像ファイルは、一旦メモリ１３２に格納され、その後メディアＩＦ（１）１１４又メディアＩＦ（２）１１６を介して記憶媒体に保存される。それと同時に、付加情報が撮影ログとしてライトワンスメモリ１４０に保存される。【選択図】  図１
2010098588.tif 000002
【特許請求の範囲】
【請求項１】
被写体像を撮像する撮像手段と、
装置本体に内蔵され、データの書き込みが１回のみ可能な第１の記録媒体と、
前記装置本体に外部の第２の記録媒体を着脱するための装着部と、
前記撮像手段により被写体像の撮影が行われると、該撮影された被写体像を前記第２の記録媒体に保存すると共に、該被写体像の内容又は該被写体像の撮影状況を証明する情報を前記第１の記録媒体に撮影ログとして保存する制御手段と、
を備えたことを特徴とする撮像装置。
【請求項２】
被写体像を撮像する撮像手段と、
装置本体に内蔵された不揮発性の第１の記録媒体と、
前記装置本体に外部の第２の記録媒体を着脱するための装着部と、
前記撮像手段により被写体像の撮影が行われると、該撮影された被写体像を前記第２の記録媒体に保存すると共に、該被写体像の内容又は該被写体像の撮影状況を証明する情報を前記第１の記録媒体に撮影ログとして保存し、かつ該保存された撮影ログの削除／変更を不能とする制御手段と、
を備えたことを特徴とする撮像装置。
【請求項３】
前記撮像手段により撮像された被写体像が編集されたか否かを検出する誤り検出符号を生成する誤り検出情報生成手段を備え、
前記制御手段は、前記誤り検出情報生成手段により生成された誤り検出符号を前記被写体像の内容を証明する情報として第１の記憶手段に保存することを特徴とする請求項１又は２に記載の撮像装置。
【請求項４】
前記誤り検出情報生成手段は、ＣＲＣコード又はハッシュ値を前記誤り検出符号として生成することを特徴とする請求項３に記載の撮像装置。
【請求項５】
前記撮像手段によって被写体像が撮像されたときの前記撮像装置の位置情報及び時刻情報のうちの少なくとも１つを取得する位置／時刻情報取得手段を備え、
前記制御手段は、前記位置／時刻情報取得手段により取得された位置情報及び時刻情報のうちの少なくとも１つを前記被写体像の撮影状況を証明する情報として前記第１の記録媒体及び前記第２の記録媒体に保存することを特徴とする請求項１から４のいずれかに記載の撮像装置。
【請求項６】
前記位置情報及び前記時刻情報のうちの少なくとも１つをタグ情報として前記被写体像に付加した画像データを生成する画像データ生成手段を備え、
前記制御手段は、前記画像データ生成手段により生成された画像データを前記第２の記録媒体に保存することを特徴とする請求項５に記載の撮像装置。
【請求項７】
前記撮像手段により撮像された被写体像に、前記位置／時刻情報取得手段により取得された前記位置情報及び前記時刻情報のうちの少なくとも１つを合成する合成手段を備え、
前記制御手段は、前記合成手段により時刻情報が合成された被写体像を前記第２の記録媒体に保存することを特徴とする請求項５に記載の撮像装置。
【請求項８】
前記位置／時刻情報取得手段は、前記撮像手段によって被写体像が撮像されたときの前記撮像装置の位置情報及び時刻情報を取得すると共に、所定の期間毎に前記撮像装置の位置情報及び時刻情報を取得し、
前記制御手段は、前記被写体像が撮像されたときの位置情報及び時刻情報を前記第２の記録媒体に保存すると共に、前記所定の期間毎に取得された位置情報及び時刻情報を前記第１の記録媒体に保存することを特徴とする請求項５から７のいずれかに記載の撮像装置。
【請求項９】
前記制御手段は、前記被写体像の撮影状況を証明する情報として、シャッタスピード、ＩＳＯ感度及び前記撮像装置に固有の番号の少なくとも１つを前記第１の記録媒体に撮影ログとして保存することを特徴とする請求項１から８のいずれかに記載の撮像装置。
【請求項１０】
前記装着部にデータの書き込みが１回のみ可能な記録媒体が前記第２の記録媒体として装着されたか否かを判別する記録媒体判別手段を備え、
前記制御手段は、前記記録媒体判別手段によりデータの書き込みが１回のみ可能な記録媒体が前記第２の記録媒体として前記装置部に装着されたと判別されると、前記第１の記録媒体に撮影ログを保存することを特徴とする請求項１から９のいずれかに記載の撮像装置。
【請求項１１】
撮像手段により被写体像を撮像するステップと、
前記撮像された被写体像を、装着部を介して装置本体に着脱可能に設けられた外部の第２の記録媒体に保存するステップと、
前記撮像された被写体像又は該被写体像の撮影状況を証明する情報を、装置本体に内蔵され、データの書き込みが１回のみ可能なライトワンス型の第１の記録媒体に撮影ログとして保存するステップと、
を含むことを特徴とする画像保存方法。
【請求項１２】
撮像手段により被写体像を撮像するステップと、
前記撮像された被写体像を、装着部を介して装置本体に着脱可能に設けられた外部の第２の記録媒体に保存するステップと、
前記撮像された被写体像又は該被写体像の撮影状況を証明する情報を、装置本体に内蔵された不揮発性の第１の記録媒体に撮影ログとして保存すると共に、該撮影ログの削除／変更を不能とするステップと、
を含むことを特徴とする画像保存方法。
【請求項１３】
請求項１１又は１２に記載の画像保存方法を演算装置に演算させることを特徴とするプログラム。
【発明の詳細な説明】
【技術分野】
【０００１】
本発明は撮像装置、画像保存方法及びプログラムに係り、特に証拠写真を撮影する撮像装置、画像保存方法及びプログラムに関する。
【背景技術】
【０００２】
特許文献１には、書き込みが１回のみ可能な記憶媒体が装着された場合には、静止画取り込みボタンの１段目が押されたときに画像取り込みを行ってプレビュー画を表示し、２段目が押されること無く１段目が話されたときには静止画データを書き込まないようにすることで、書き込みが１回のみ可能な記憶媒体が装着されたときの使い勝手を向上させるデジタルカメラが開示されている。
【０００３】
特許文献２には、低画質モードで撮影された画像などの消去される可能性が高いと思われる画像の記録先にリライタブル型記憶媒体を設定し、高画質モードで撮影された画像など消去される可能性が低いと思われる画像の記録先にライトワンス型記憶媒体を設定する電子カメラが開示されている。
【０００４】
特許文献３には、書き込みが１回のみ可能な記憶媒体が装着された場合には、画像データを記憶媒体に記憶し、画像データのデータ管理情報を内蔵メモリに保管するデジタルカメラが記載されている。
【特許文献１】特開２００４−６４６７７号公報
【特許文献２】特開２００２−３００５１１号公報
【特許文献３】特開２００３−２４４６０６号公報
【発明の開示】
【発明が解決しようとする課題】
【０００５】
しかしながら、特許文献１〜３に記載の発明においては、撮影した画像を書き込みが１回のみ可能な記憶媒体に記憶させてはいるが、記憶媒体に記憶された画像がデジタル画像であることには変わりがない。したがって、編集、すなわち改竄が容易であり、デジタル画像は証拠写真としての能力がなくなっているという問題がある。
【０００６】
そのため、警察などにおいて証拠写真を撮影する場合には、記録媒体の着脱用の蓋を封印するという原始的な方法以外に信頼性を確保する方法がないという問題がある。
【０００７】
本発明はこのような事情に鑑みてなされたもので、証拠写真としての信頼性が高いデジタル画像の撮影、記録が可能な撮像装置、画像保存方法及びプログラムを提供することを目的とする。
【課題を解決するための手段】
【０００８】
前記目的を達成するために、請求項１に記載の撮像装置は、被写体像を撮像する撮像手段と、装置本体に内蔵され、データの書き込みが１回のみ可能な第１の記録媒体と、前記装置本体に外部の第２の記録媒体を着脱するための装着部と、前記撮像手段により撮像された被写体像を前記第２の記録媒体に保存すると共に、当該被写体像の内容又は当該被写体像の撮影状況を証明する情報を前記第１の記録媒体に撮影ログとして保存する制御手段と、を備えたことを特徴とする。
【０００９】
請求項１に記載の撮像装置によれば、撮像手段により撮像された被写体像を装着部を介して装置本体に装着された外部の第２の記録媒体に保存すると共に、当該被写体像の内容又は当該被写体像の撮影状況を証明する情報を装置本体に内蔵され、データの書き込みが１回のみ可能な第１の記録媒体に撮影ログとして保存する。これにより、記録媒体に保存された画像が編集されたかどうかを事後的に確認することができる。したがって、画像の信頼性を高め、証拠力を上げることができる。
【００１０】
請求項２に記載の撮像装置は、被写体像を撮像する撮像手段と、装置本体に内蔵された不揮発性の第１の記録媒体と、前記装置本体に外部の第２の記録媒体を着脱するための装着部と、前記撮像手段により被写体像の撮影が行われると、該撮影された被写体像を前記第２の記録媒体に保存すると共に、該被写体像の内容又は該被写体像の撮影状況を証明する情報を前記第１の記録媒体に撮影ログとして保存し、かつ該保存された撮影ログの削除／変更を不能とする制御手段と、を備えたことを特徴とする。
【００１１】
請求項２に記載の撮像装置によれば、撮像手段により撮像された被写体像を装着部を介して装置本体に装着された外部の第２の記録媒体に保存すると共に、当該被写体像の内容又は当該被写体像の撮影状況を証明する情報を装置本体に内蔵された不揮発性の第１の記録媒体に撮影ログとして保存し、保存した撮影ログの削除／変更を不能とする。これにより、記録媒体に保存された画像が編集されたかどうかを事後的に確認することができる。したがって、画像の信頼性を高め、証拠力を上げることができる。
【００１２】
請求項３に記載の撮像装置は、請求項１又は２に記載の撮像装置において、前記撮像手段により撮像された被写体像が編集されたか否かを検出する誤り検出符号を生成する誤り検出情報生成手段を備え、前記制御手段は、前記誤り検出情報生成手段により生成された誤り検出符号を前記被写体像の内容を証明する情報として第１の記憶手段に保存することを特徴とする。
【００１３】
請求項３に記載の撮像装置によれば、被写体像の内容を証明する情報として撮像手段により撮像された被写体像が編集されたか否かを検出する誤り検出符号を生成し、生成された誤り検出符号を第１の記憶手段に保存する。これにより、画像の信頼性を更に高めることができる。
【００１４】
請求項４に記載の撮像装置は、請求項３に記載の撮像装置において、前記誤り検出情報生成手段は、ＣＲＣコード又はハッシュ値を前記誤り検出符号として生成することを特徴とする。
【００１５】
請求項４に記載の撮像装置によれば、被写体像の内容を証明する情報としてＣＲＣコード又はハッシュ値が誤り検出符号として算出される。これにより、誤り検出符号が同一の場合には、画像が同一であることが証明可能となる。
【００１６】
請求項５に記載の撮像装置は、請求項１から４のいずれかに記載の撮像装置において、前記撮像手段によって被写体像が撮像されたときの前記撮像装置の位置情報及び時刻情報のうちの少なくとも１つを取得する位置／時刻情報取得手段を備え、前記制御手段は、前記位置／時刻情報取得手段により取得された位置情報及び時刻情報のうちの少なくとも１つを前記被写体像の撮影状況を証明する情報として第１の記録媒体及び前記第２の記録媒体に保存することを特徴とする。
【００１７】
請求項５に記載の撮像装置によれば、被写体像の撮影状況を証明する情報として撮像手段によって被写体像が撮像されたときの撮像装置の位置情報及び時刻情報のうちの少なくとも１つを取得し、取得した位置情報及び時刻情報のうちの少なくとも１つを第１の記録媒体及び第２の記録媒体に保存する。これにより、画像の信頼性を更に高めることができる。
【００１８】
請求項６に記載の撮像装置は、請求項５に記載の撮像装置において、前記位置情報及び前記時刻情報のうちの少なくとも１つをタグ情報として前記被写体像に付加した画像データを生成する画像データ生成手段を備え、前記制御手段は、前記画像データ生成手段により生成された画像データを前記第２の記録媒体に保存することを特徴とする。
【００１９】
請求項６に記載の撮像装置によれば、被写体像の撮影状況を証明する情報として取得された位置情報及び時刻情報のうちの少なくとも１つを被写体像に付加した画像データを生成し、生成した画像データを第２の記録媒体に保存する。これにより、第１の記録媒体に保存された情報と、第２の記録媒体に保存された情報とを比較することで、画像データが編集されたか否かをすることができる。
【００２０】
請求項７に記載の撮像装置は、請求項５に記載の撮像装置において、前記撮像手段により撮像された被写体像に、前記位置／時刻情報取得手段により取得された前記位置情報及び前記時刻情報のうちの少なくとも１つを合成する合成手段を備え、前記制御手段は、前記合成手段により時刻情報が合成された被写体像を前記第２の記録媒体に保存することを特徴とする。
【００２１】
請求項７に記載の撮像装置によれば、被写体像の撮影状況を証明する情報として取得された位置情報及び時刻情報のうちの少なくとも１つを被写体像に合成し、合成後の画像を第２の記録媒体に保存する。これにより、第１の記録媒体に保存された情報と、第２の記録媒体に保存された画像とを比較することで、画像データが編集されたか否かを確認することができる。
【００２２】
請求項８に記載の撮像装置は、請求項５から７のいずれかに記載の撮像装置において、前記位置／時刻情報取得手段は、前記撮像手段によって被写体像が撮像されたときの前記撮像装置の位置情報及び時刻情報を取得すると共に、所定の期間毎に前記撮像装置の位置情報及び時刻情報を取得し、前記制御手段は、前記被写体像が撮像されたときの位置情報及び時刻情報を前記第２の記録媒体に保存すると共に、前記所定の期間毎に取得された位置情報及び時刻情報を前記第１の記録媒体に保存することを特徴とする。
【００２３】
請求項８に記載の撮像装置によれば、第１の記録媒体には、所定の期間毎に取得された位置情報及び時刻情報が保存され、第２の記録媒体には、被写体像が撮像されたときの位置情報及び時刻情報が保存される。これにより、画像ファイルに記憶された撮影時の位置情報の信頼性を高めることができる。
【００２４】
請求項９に記載の撮像装置は、請求項１から８のいずれかに記載の撮像装置において、前記制御手段は、前記被写体像の撮影状況を証明する情報として、シャッタスピード、ＩＳＯ感度及び前記撮像装置に固有の番号の少なくとも１つを前記第１の記録媒体に撮影ログとして保存することを特徴とする。
【００２５】
請求項１０に記載の撮像装置は、請求項１から９のいずれかに記載の撮像装置において、前記装着部にデータの書き込みが１回のみ可能な記録媒体が前記第２の記録媒体として装着されたか否かを判別する記録媒体判別手段を備え、前記制御手段は、前記記録媒体判別手段によりデータの書き込みが１回のみ可能な記録媒体が前記第２の記録媒体として前記装置部に装着されたと判別され、かつ前記撮像手段により撮影が行われると、前記第１の記録媒体に撮影ログを保存することを特徴とする。
【００２６】
請求項１０に記載の撮像装置によれば、第２の記録媒体としてデータの書き込みが１回のみ可能な記録媒体が装着部に装着されたかどうかを判別し、データの書き込みが１回のみ可能な記録媒体が第２の記録媒体として装置部に装着されたことが判別された場合には、第１の記録媒体に撮影ログを保存する。これにより、ユーザが設定をすることなく、証拠写真としての信頼性が高い被写体像を撮影、保存することができる。
【００２７】
請求項１１に記載の画像保存方法は、撮像手段により被写体像を撮像するステップと、前記撮像された被写体像を、装着部を介して装置本体に着脱可能に設けられた外部の第２の記録媒体に保存するステップと、前記撮像された被写体像又は該被写体像の撮影状況を証明する情報を、装置本体に内蔵され、データの書き込みが１回のみ可能なライトワンス型の第１の記録媒体に撮影ログとして保存するステップと、を含むことを特徴とする。
【００２８】
請求項１２に記載の画像保存方法は、撮像手段により被写体像を撮像するステップと、前記撮像された被写体像を、装着部を介して装置本体に着脱可能に設けられた外部の第２の記録媒体に保存するステップと、前記撮像された被写体像又は該被写体像の撮影状況を証明する情報を、装置本体に内蔵された不揮発性の第１の記録媒体に撮影ログとして保存すると共に、該撮影ログの削除／変更を不能とするステップと、を含むことを特徴とする。
【００２９】
請求項１３に記載のプログラムは、請求項１１又は１２に記載の画像保存方法を演算装置に実行させる。
【発明の効果】
【００３０】
本発明によれば、証拠写真としての信頼性が高いデジタル画像の撮影、記録が可能となる。
【発明を実施するための最良の形態】
【００３１】
以下、添付図面に従って本発明が適用された撮像装置、画像保存方法及びプログラムを実施するための最良の形態について詳細に説明する。
【００３２】
＜第１の実施の形態＞
図１は第１の実施の形態のデジタルカメラ１内部の概略構成を示すブロック図である。
【００３３】
同図に示すように、デジタルカメラ１は、主として、ＣＰＵ１１０、シャッタースイッチ１１１、操作部（電源／モードスイッチ、モードダイヤル、ズームボタン、十字ボタン、ＭＥＮＵ／ＯＫボタン、ＤＩＳＰボタン、ＢＡＣＫボタン等）１１２、メディアインターフェース（ＩＦ）（１）１１４、メディアＩＦ（２）１１６、タイミングジェネレータ（ＴＧ）１１８、レンズユニット１２０、シャッター・絞り１２２、撮像デバイス１２４、アナログ信号処理部（ＣＤＳ／ＡＭＰ）１２６、Ａ／Ｄ変換器１２８、デジタル信号処理部１３０、メモリ１３２、ＲＯＭ１３４、画像表示部１３６、通信、オプションＩＦ１３８、ライトワンスメモリ１４０で構成される。
【００３４】
ＣＰＵ１１０は、シャッタースイッチ１１１、操作部１１２から入力される操作信号に基づき所定の制御プログラムに従ってデジタルカメラ１の全体を統括制御する。
【００３５】
また、ＣＰＵ１１０は、ＡＦエリア（たとえば、画面中央部）内の信号を切り出し、ＡＦエリア内の絶対値データを積算する。また、ＣＰＵ１１０は、ＡＥ制御に必要な物理量として、１画面を複数のエリア（たとえば１６×１６）に分割し、分割したエリアごとにＲ、Ｇ、Ｂの画像信号の積算値を算出する。
【００３６】
また、ＣＰＵ１１０は、デジタル信号処理部１３０で生成された画像信号を画像表示部１３６に表示するための映像信号（たとえば、ＮＴＳＣ信号やＰＡＬ信号、ＳＣＡＭ信号）に変換して画像表示部１３６に出力する。
【００３７】
メディアＩＦ（１）１１４、メディアＩＦ（２）１１６は、それぞれメディアスロットに装填された記憶媒体（例えば、メモリカード、ＣＤ−Ｒ）に対してデータの読み／書きを制御する。本実施の形態では、メディアスロット及びメモリカードＩＦをそれぞれ２つずつ設けているが、１つでもかまわない。
【００３８】
レンズユニット１２０は、複数枚のレンズからなるフォーカスレンズであり、ＣＰＵ１１０から出力される駆動量データに基づいて各々のレンズが光軸方向に移動されることにより画角の調整を行う。
【００３９】
シャッター・絞り１２２は、撮像デバイス１２４に入射する光量を調整する。
【００４０】
撮像デバイス１２４は、たとえば、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置された受光面を有するカラーＣＣＤで構成される。レンズユニット１２０及びシャッター・絞り１２２を通過した被写体光は、各フォトダイオードによって受光され、入射光量に応じた量の信号電荷に変換される。ＴＧ１１８は、ＣＰＵ１１０からの指令に応じて、この撮像デバイス１２４を駆動するためのタイミング信号を出力する。
【００４１】
アナログ信号処理部１２６は、撮像デバイス１２４から出力された画像信号に対して、画素ごとのＲ、Ｇ、Ｂ信号をサンプリングホールド（相関二重サンプリング処理）するとともに、増幅してＡ／Ｄ変換器１２８に出力する。
【００４２】
Ａ／Ｄ変換器１２８は、アナログ信号処理部１２６から出力されたアナログのＲ、Ｇ、Ｂ信号をデジタルのＲ、Ｇ、Ｂ信号に変換して出力する。Ａ／Ｄ変換器１２８から出力されたデジタルのＲ、Ｇ、Ｂ信号はデジタル信号処理部１３０に送られる。
【００４３】
デジタル信号処理部１３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従い、入力された画像信号に所要の信号処理を施して、輝度データ（Ｙデータ）と色差データ（Ｃｒ，Ｃｂデータ）とからなる画像データ（ＹＵＶデータ）を生成する。
【００４４】
デジタル信号処理部１３０は、圧縮伸張処理部回路を含み、圧縮伸張処理部回路は、ＣＰＵ１１０からの指令に従い、入力された画像データに所定形式の圧縮処理を施し、圧縮画像データを生成する。また、ＣＰＵ１１０からの指令に従い、入力された圧縮画像データに所定形式の伸張処理を施し、非圧縮の画像データを生成する。
【００４５】
画像表示部１３６は、カラー表示が可能な液晶ディスプレイで構成されており、再生モード時に撮影済み画像を表示するための画像表示パネルとして利用されるとともに、各種設定操作を行なう際のユーザインターフェース表示パネルとして利用される。また、撮影モード時には、必要に応じてスルー画像が表示されて、画角確認用の電子ファインダとして利用される。
【００４６】
メモリ１３２は、ＣＰＵ１１０の演算作業用領域として利用されるとともに、画像データ等の一時記憶領域として利用される。
【００４７】
ＲＯＭ１３４は、ＣＰＵ１１０が実行する制御プログラム及び制御に必要な各種データやデジタルカメラ１の動作に関する各種設定情報などが格納されている。
【００４８】
通信、オプションＩＦ１３８は、メモリ１３２に記憶された画像データなどをプリンタ、ＰＣ等の外部機器に出力する。
【００４９】
ライトワンスメモリ１４０は、１回のみ書き込みが可能な記憶媒体であり、交換ができないようにデジタルカメラ１に内蔵されている。ライトワンスメモリ１４０としては、例えばＣＤ−Ｒがあげられる。ライトワンスメモリ１４０は、以前のデータに加えて新たなデータを追記することは可能だが、一度書き込まれたデータの消去や上書きは不可能である。
【００５０】
以上のように構成された本実施の形態のデジタルカメラ１の作用について説明する。まず、撮影処理について説明する。
【００５１】
電源／モードスイッチを撮影位置に合わせることで、デジタルカメラ１は撮影モードに設定され、撮影が可能になる。そして、撮影モードに設定されることにより、レンズユニット１２０が繰り出され、撮影スタンバイ状態になる。
【００５２】
この撮影モードの下、レンズユニット１２０を通過した被写体光は、撮像デバイス１２４の受光面に結像され、入射光量に応じた量の信号電荷に変換される。各フォトダイオードに蓄積された信号電荷は、ＴＧ１１８から与えられる駆動パルスに基づいて信号電荷に応じた電圧信号（画像信号）として順次読み出され、アナログ信号処理部（ＣＤＳ／ＡＭＰ）１２６に加えられる。
【００５３】
アナログ信号処理部１２６から出力されたアナログのＲ、Ｇ、Ｂ信号は、Ａ／Ｄ変換器１２８でデジタルのＲ、Ｇ、Ｂ信号に変換され、デジタル信号処理部１３０に加えられる。
【００５４】
デジタル信号処理部１３０で輝度／色差信号が生成され、ＣＰＵ１１０は輝度／色差信号を表示用の信号形式（たとえばＮＴＳＣ方式のカラー複合映像信号）に変換し、画像表示部１３６に出力する。これにより、撮像デバイス１２４で撮像された画像が画像表示部１３６に表示される。
【００５５】
撮像デバイス１２４から画像信号を定期的に取り込み、その画像信号から生成される輝度／色差信号によってメモリ１３２内の画像データを定期的に書き換え、画像表示部１３６に出力することにより、撮像デバイス１２４で撮像される画像がリアルタイムに表示される。ユーザは、この画像表示部１３６にリアルタイムに表示される画像（スルー画像）を見ることにより、撮影画角を確認することができる。
【００５６】
撮影はシャッタースイッチ１１１の押下によって行なわれる。シャッタースイッチ１１１が半押しされると、Ｓ１ＯＮ信号がＣＰＵ１１０に入力される。
【００５７】
まず、撮像デバイス１２４から取り込まれた画像信号がＣＰＵ１１０に入力される。ＣＰＵ１１０は、ＣＰＵ１１０で算出されたＡＦエリア内の絶対値データに基づいて、フォーカスレンズ駆動部１１６を制御してレンズユニット１２０を移動させながら、複数のＡＦ検出ポイントで焦点評価値（ＡＦ評価値）を演算し、評価値が極大となるレンズ位置を合焦位置として決定する。そして、求めた合焦位置にフォーカスレンズ群が移動するように、フォーカスレンズ駆動部１１６を制御する。
【００５８】
また、ＣＰＵ１１０は、算出されたＲ、Ｇ、Ｂの画像信号の積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従い撮像デバイス１２４の電子シャッターとシャッター・絞り１２２を制御して適正な露光量を得る。
【００５９】
ＣＰＵ１１０は、算出されたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００６０】
以上のように、シャッタースイッチ１１１の半押しによって、ＡＥ処理、ＡＦ処理及びＡＷＢ処理が行なわれる。この間、ユーザは、必要に応じてズームボタン３８を操作し、レンズユニット１２０をズーミングさせて画角を調整し、ＣＰＵ１１０は、ＡＥ／ＡＦ処理及びＡＷＢ処理を継続して行う。
【００６１】
この後、シャッタースイッチ１１１が全押しされると、ＣＰＵ１１０にＳ２ＯＮ信号が入力され、ＣＰＵ１１０は、撮影処理を開始する。すなわち、測光結果に基づき決定されたシャッター速度、絞り値で撮像デバイス１２４を露光する。
【００６２】
撮像デバイス１２４から出力された画像信号は、アナログ信号処理部１２６、Ａ／Ｄ変換器１２８、デジタル信号処理部１３０において輝度／色差信号に変換され、所定の圧縮フォーマット（たとえばＪＰＥＧ形式）に従って圧縮され、メモリ１３２に格納される。
【００６３】
次に、このようにして撮影された画像を記録する方法について説明する。
【００６４】
ＣＰＵ１１０は、メモリ１３２に格納された所定の圧縮フォーマットのデータに時刻情報（年月日、時刻など）、シャッタースピード、ＩＳＯ感度などの付加情報をタグに記録して、所定の画像記録フォーマット（たとえばＥｘｉｆ形式）の画像ファイルを生成する。そして、ＣＰＵ１１０は、生成した画像ファイルをメモリ１３２に格納する。なお、時刻情報は、デジタルカメラ１の内部に設けられた時計（図示せず）の時刻を用いることができる。
【００６５】
ＣＰＵ１１０は、メモリ１３２に格納された画像ファイルを、メディアＩＦ（１）１１４又メディアＩＦ（２）１１６を介して記憶媒体に保存する。それと同時に、ＣＰＵ１１０は、付加情報を撮影ログとしてライトワンスメモリ１４０に保存する。これにより、撮影時の状況を証明可能な情報をライトワンスメモリ１４０に保存することができる。
【００６６】
本実施の形態によれば、デジタルカメラに内蔵されたライトワンスメモリに付加情報が保存されているため、記憶媒体に保存された画像ファイルのタグ情報とライトワンスメモリに保存された情報とを比較することにより、記憶媒体に保存された画像ファイルが編集されたかどうかを事後的に確認することができる。したがって、撮影された画像の信頼性を高め、証拠性を上げることができる。
【００６７】
また、本実施の形態によれば、デジタルカメラに内蔵され、交換不可能なライトワンスメモリに書き込まれるのは文字情報であるため、ライトワンスメディアに大量の枚数分の情報を書き込むことができる。したがって、ライトワンスメディアが交換できなくても使用上問題は生じない。
【００６８】
なお、本実施の形態では、画像ファイルを記憶媒体に保存するのと同時に付加情報を撮影ログとしてライトワンスメモリ１４０に保存したが、撮影ログの削除や変更が不可能なのであれば、付加情報を保存するのはライトワンスメモリに限られない。例えば、ＣＰＵ１１０が、撮影ログをＲＯＭなどの不揮発性のメモリに保存すると共に、保存した撮影ログの削除や変更ができないように撮影ログを保護するようにしてもよい。
【００６９】
また、本実施の形態では、画像ファイルを記憶媒体に保存するのと同時に付加情報を撮影ログとしてライトワンスメモリ１４０に保存したが、画像ファイルを記憶媒体に保存するタイミングと、付加情報を撮影ログとしてライトワンスメモリ１４０に保存するタイミングとは同時でなくてもよい。付加情報を撮影ログとしてライトワンスメモリ１４０に保存した後で画像ファイルを記憶媒体に保存してもよいし、画像ファイルを記憶媒体に保存した後で、付加情報を撮影ログとしてライトワンスメモリ１４０に保存してもよい。
【００７０】
また、本実施の形態では、画像ファイルを記憶媒体に保存するときに、常にデジタルカメラ内のライトワンスメモリに付加情報を保存したが、ライトワンスメモリに付加情報を保存する、しないをユーザが操作部１１２を操作することにより設定できるようにしてもよい。
【００７１】
また、本実施の形態では、時刻情報、シャッタースピード、ＩＳＯ感度などを付加情報として記載したが、付加情報の内容はこれに限らず、タグに書き込みが可能であり、かつ被写体像の撮影時の状況を証明可能でデータであればなんでもよい。
【００７２】
＜第２の実施の形態＞
本発明の第１の実施の形態は、画像ファイルを記憶媒体に保存するときに、常にデジタルカメラ内のライトワンスメモリに付加情報を保存するものであるが、常にライトワンスメモリに付加情報を保存しない方法も考えられる。
【００７３】
第２の実施の形態は、記憶媒体がライトワンスメモリである場合にのみ、デジタルカメラ内のライトワンスメモリに付加情報を保存するものである。以下、第２の実施の形態のデジタルカメラ２について説明する。なお、デジタルカメラ２の構成はデジタルカメラ１と同一であるため、説明を省略する。また、デジタルカメラ２の撮影処理についてはデジタルカメラ１と同一であるため、説明を省略し、記録処理について図２を用いて説明する。
【００７４】
図２は、デジタルカメラ２の記録処理の流れを示すフローチャートである。以下の処理は、主として、ＣＰＵ１１０によって行われる。
【００７５】
まず、ＣＰＵ１１０は、メモリ１３２に格納された所定の圧縮フォーマットのデータに撮影日時、シャッタースピード、ＩＳＯ感度などの付加情報をタグに記録して、所定の画像記録フォーマット（たとえばＥｘｉｆ形式）の画像ファイルを生成する。そして、ＣＰＵ１１０は、生成した画像ファイルをメモリ１３２に格納する。
【００７６】
そして、ＣＰＵ１１０は、メディアＩＦ（１）１１４又はメディアＩＦ（２）１１６を介してデジタルカメラ２に接続された記憶媒体がライトワンスメモリ（例えば、ＣＤ−Ｒ）であるかどうかを判断する（ステップＳ１）。
【００７７】
デジタルカメラ２に接続された記憶媒体がライトワンスメモリである場合（ステップＳ１でＹＥＳ）には、付加情報を撮影ログとしてライトワンスメモリ１４０に保存する（ステップＳ２）。その後、ＣＰＵ１１０は、メモリ１３２に格納された画像ファイルを、メディアＩＦ（１）１１４又メディアＩＦ（２）１１６を介して記憶媒体であるライトワンスメモリに保存する。これにより、撮影時の状況を証明可能な情報をライトワンスメモリ１４０に保存することができる。
【００７８】
デジタルカメラ２に接続された記憶媒体がライトワンスメモリでない場合（ステップＳ１でＮＯ）には、メモリ１３２に格納された画像ファイルを、メディアＩＦ（１）１１４又メディアＩＦ（２）１１６を介して記憶媒体に保存する。
【００７９】
本実施の形態によれば、証拠写真など信頼性が必要な写真を撮影する場合には、ユーザがライトワンスメモリをデジタルカメラに接続することにより、自動的に内蔵のライトワンスメモリへ付加情報を保存することができる。これにより、使い勝手を良くすることができる。
【００８０】
なお、本実施の形態では、ＣＰＵ１１０は、デジタルカメラにライトワンスメディアが接続されているかどうかを記録時に判断したが、記録処理前に判断を行い、判断結果を画像表示部１３６に表示するようにしてもよい。これにより、どのメディアが接続されているか、どのような記録処理が行われるかを記録処理の前にユーザが認識することができる。
【００８１】
また、ＣＰＵ１１０は、デジタルカメラにライトワンスメディアが接続されていると判断した場合には、撮影後の画像ファイルの保存以外の書き込みができないように制御してもよい。
【００８２】
また、ＣＰＵ１１０は、デジタルカメラにライトワンスメディアが接続されていると判断した場合には、ライトワンスメディアに書き込んだデータを一旦メモリ１３２に読み出してベリファイするようにしてもよい。これにより、更に信頼性を向上させることができる。
【００８３】
＜第３の実施の形態＞
本発明の第１の実施の形態は、画像ファイルを記憶媒体に保存するときに、デジタルカメラ内のライトワンスメモリに付加情報を保存するものであるが、画像ファイルの信頼性を高める方法はこれに限らない。
【００８４】
第３の実施の形態は、被写体像の内容を証明可能な情報として誤り検出符号コードをデジタルカメラ内のライトワンスメモリに保存するものである。以下、第３の実施の形態のデジタルカメラ３について説明する。第１の実施の形態と同一の部分については、同一の符号を付し、説明を省略する。
【００８５】
図３はデジタルカメラ３内部の概略構成を示すブロック図である。同図に示すように、デジタルカメラ３は、主として、ＣＰＵ１１０、シャッタースイッチ１１１、操作部１１２、メディアＩＦ（１）１１４、メディアＩＦ（２）１１６、ＴＧ１１８、レンズユニット１２０、シャッター・絞り１２２、撮像デバイス１２４、アナログ信号処理部１２６、Ａ／Ｄ変換器１２８、デジタル信号処理部１３０、メモリ１３２、ＲＯＭ１３４、画像表示部１３６、通信、オプションＩＦ１３８、ライトワンスメモリ１４０、誤り検出符号器１４２で構成される。
【００８６】
誤り検出符号器１４２は、撮影後メモリ１３２に格納された画像データからＣＲＣコードやハッシュ値などの画像データに固有の番号を誤り検出符号コードとして算出する。したがって、誤り検出符号コードが同一であれば、同一の画像であることが証明可能である。誤り検出符号コードは、ＣＲＣコードやハッシュ値などに限らず、画像データが編集された場合など画像データの同一性が失われた場合には他の値となるものであれば、どのような形態のものを用いてもよい。
【００８７】
以上のように構成された本実施の形態のデジタルカメラ３の作用について説明する。まず、撮影処理について説明する。デジタルカメラ３の撮影処理についてはデジタルカメラ１と同一であるため、説明を省略し、記録処理について説明する。
【００８８】
ＣＰＵ１１０は、メモリ１３２に格納された所定の圧縮フォーマットのデータに撮影日時、シャッタースピード、ＩＳＯ感度などの付加情報をタグに記録して、所定の画像記録フォーマット（たとえばＥｘｉｆ形式）の画像ファイルを生成する。そして、ＣＰＵ１１０は、生成した画像ファイルをメモリ１３２に格納する。
【００８９】
また、ＣＰＵ１１０は、画像データをメモリ１３２から誤り検出符号器１４２に入力し、誤り検出符号器１４２は入力された画像データから誤り検出符号コードを算出する。
【００９０】
ＣＰＵ１１０は、メモリ１３２に格納された画像ファイルを、メディアＩＦ（１）１１４又メディアＩＦ（２）１１６を介して記憶媒体に保存する。それと同時に、ＣＰＵ１１０は、誤り検出符号器１４２から誤り検出符号コードを読み出し、誤り検出符号コードを撮影ログとしてライトワンスメモリ１４０に保存する。これにより、撮影された画像の内容を証明可能な情報をライトワンスメモリ１４０に保存することができる。
【００９１】
本実施の形態によれば、記憶媒体に保存された画像ファイルから算出された誤り検出符号コードと、ライトワンスメモリに保存された誤り検出符号コードとを比較することにより、記憶媒体に保存された画像ファイルが編集されたかどうかを事後的に確認することができる。したがって、撮影された画像の信頼性や証拠力を更に高めることができる。
【００９２】
なお、本実施の形態では、誤り検出符号コードを撮影ログとしてライトワンスメモリ１４０に保存したが、デジタルカメラに記憶媒体としてライトワンスメディアが接続されているかどうかを判断し、ライトワンスメディアが接続されている場合には、デジタルカメラ３に固有の番号をライトワンスメディアに書き込むようにしてもよい。これにより、画像データをどのデジタルカメラで撮像したかが明確になるため、デジタルカメラに内蔵のライトワンスメディアに保存された誤り検出符号コードの確認が容易となる。
【００９３】
なお、記憶媒体に保存された画像ファイルから誤り検出符号コードを算出するには、画像ファイルを誤り検出符号器１４２に改めて入力することにより算出してもよいし、誤り符号ファイルが算出可能な他の機器に入力することにより算出してもよい。
【００９４】
＜第４の実施の形態＞
本発明の第１の実施の形態は、画像ファイルを記憶媒体に保存するときに、デジタルカメラ内のライトワンスメモリに付加情報を保存するものであるが、画像ファイルの信頼性を高める方法はこれに限らない。
【００９５】
第４の実施の形態は、撮影時の状況を証明する情報として画像が撮影されたときの時刻情報をデジタルカメラ内のライトワンスメモリに保存するものである。以下、第４の実施の形態のデジタルカメラ４について説明する。第１の実施の形態と同一の部分については、同一の符号を付し、説明を省略する。
【００９６】
図４はデジタルカメラ４内部の概略構成を示すブロック図である。同図に示すように、デジタルカメラ４は、主として、ＣＰＵ１１０、シャッタースイッチ１１１、操作部１１２、メディアＩＦ（１）１１４、メディアＩＦ（２）１１６、ＴＧ１１８、レンズユニット１２０、シャッター・絞り１２２、撮像デバイス１２４、アナログ信号処理部１２６、Ａ／Ｄ変換器１２８、デジタル信号処理部１３０、メモリ１３２、ＲＯＭ１３４、画像表示部１３６、通信、オプションＩＦ１３８、ライトワンスメモリ１４０、時刻取得ブロック（ＢＬＫ）１４４で構成される。
【００９７】
時刻取得ＢＬＫ１４４は、アンテナ、受信機、ＣＰＵ等で構成され、標準時刻電波を受信することにより、正確な現在時刻を取得する。標準時刻電波を受信して現在時刻を取得する方法は、公知の内容であるため説明を省略する。
【００９８】
以上のように構成された本実施の形態のデジタルカメラ４の作用について説明する。シャッタースイッチを全押しするまでの処置についてはデジタルカメラ１と同一であるため、説明を省略し、全押し後の処理から説明を行う。
【００９９】
シャッタースイッチ１１１が全押しされると、ＣＰＵ１１０にＳ２ＯＮ信号が入力され、ＣＰＵ１１０は、撮影処理を開始する。すなわち、測光結果に基づき決定されたシャッター速度、絞り値で撮像デバイス１２４を露光する。
【０１００】
また、ＣＰＵ１１０にＳ２ＯＮ信号が入力されると、ＣＰＵ１１０は時刻取得ＢＬＫ１４４に指令を出し、時刻取得ＢＬＫ１４４は現在時刻を取得する。これにより、正確な撮影時の時刻情報を取得することができる。取得した現在時刻は、時刻取得ＢＬＫ１４４からメモリ１３２に出力される。
【０１０１】
撮像デバイス１２４から出力された画像信号は、アナログ信号処理部１２６、Ａ／Ｄ変換器１２８、デジタル信号処理部１３０において輝度／色差信号に変換され、所定の圧縮フォーマット（たとえばＪＰＥＧ形式）に従って圧縮され、メモリ１３２に格納される。
【０１０２】
次に、このようにして撮影された画像を記録する方法について説明する。
【０１０３】
ＣＰＵ１１０は、メモリ１３２に格納された所定の圧縮フォーマットのデータに時刻取得ＢＬＫ１４４からメモリ１３２に出力された時刻情報、シャッタースピード、ＩＳＯ感度などの付加情報をタグに記録して、所定の画像記録フォーマット（たとえばＥｘｉｆ形式）の画像ファイルを生成する。そして、ＣＰＵ１１０は、生成した画像ファイルをメモリ１３２に格納する。
【０１０４】
ＣＰＵ１１０は、メモリ１３２に格納された画像ファイルを、メディアＩＦ（１）１１４又メディアＩＦ（２）１１６を介して記憶媒体に保存する。それと同時に、ＣＰＵ１１０は、時刻取得ＢＬＫ１４４からメモリ１３２に出力された時刻情報を撮影ログとしてライトワンスメモリ１４０に保存する。これにより、撮影時の状況を証明可能な情報をライトワンスメモリ１４０に保存することができる。
【０１０５】
本実施の形態によれば、記憶媒体に保存された画像ファイルのタグ情報内の時刻情報とライトワンスメモリに保存された時刻情報とを比較することにより、記憶媒体に保存された画像ファイルが編集されたかどうかを事後的に確認することができる。したがって、撮影された画像の信頼性を高め、証拠性を上げることができる。
【０１０６】
なお、本実施の形態では、時刻取得ＢＬＫ１４４により取得した時刻情報をタグに保存したが、時刻情報を撮影した画像に合成し、合成した画像を記憶媒体に記憶するようにしてもよい。なお、画像の合成には様々な公知の手法を用いることができる。
【０１０７】
また、本実施の形態では、時刻取得ＢＬＫ１４４で標準時刻電波を受信することにより、正確な撮影時の時刻を取得したが、現在時刻を取得する方法はこれに限らず、ＧＰＳやラジオ電波などを用いてもよい。
【０１０８】
＜第５の実施の形態＞
本発明の第１の実施の形態は、画像ファイルを記憶媒体に保存するときに、デジタルカメラ内のライトワンスメモリに付加情報を保存するものであるが、画像ファイルの信頼性を高める方法はこれに限らない。
【０１０９】
第５の実施の形態は、撮影が行われた位置情報をデジタルカメラ内のライトワンスメモリに保存するものである。以下、第５の実施の形態のデジタルカメラ５について説明する。第１の実施の形態と同一の部分については、同一の符号を付し、説明を省略する。
【０１１０】
図５はデジタルカメラ５内部の概略構成を示すブロック図である。同図に示すように、デジタルカメラ５は、主として、ＣＰＵ１１０、シャッタースイッチ１１１、操作部１１２、メディアＩＦ（１）１１４、メディアＩＦ（２）１１６、ＴＧ１１８、レンズユニット１２０、シャッター・絞り１２２、撮像デバイス１２４、アナログ信号処理部１２６、Ａ／Ｄ変換器１２８、デジタル信号処理部１３０、メモリ１３２、ＲＯＭ１３４、画像表示部１３６、通信、オプションＩＦ１３８、ライトワンスメモリ１４０、ＧＰＳ位置取得ブロック（ＢＬＫ）１４６で構成される。
【０１１１】
ＧＰＳ位置取得ＢＬＫ１４６は、４個以上のＧＰＳ衛星からの距離を同時に知ることにより自分の位置情報を取得する。ＧＰＳ位置取得ＢＬＫ１４６は、既に公知の技術であるため、説明を省略する。
【０１１２】
以上のように構成された本実施の形態のデジタルカメラ５の作用について説明する。シャッタースイッチを全押しするまでの処置についてはデジタルカメラ１と同一であるため、説明を省略し、全押し後の処理から説明を行う。
【０１１３】
シャッタースイッチ１１１が全押しされると、ＣＰＵ１１０にＳ２ＯＮ信号が入力され、ＣＰＵ１１０は、撮影処理を開始する。すなわち、測光結果に基づき決定されたシャッター速度、絞り値で撮像デバイス１２４を露光する。
【０１１４】
また、ＣＰＵ１１０にＳ２ＯＮ信号が入力されると、ＣＰＵ１１０はＧＰＳ位置取得ＢＬＫ１４６に指令を出し、位置情報を取得する。これにより、正確な撮影時の位置情報を取得することができる。取得した位置情報は、ＧＰＳ位置取得ＢＬＫ１４６からメモリ１３２に出力される。
【０１１５】
撮像デバイス１２４から出力された画像信号は、アナログ信号処理部１２６、Ａ／Ｄ変換器１２８、デジタル信号処理部１３０において輝度／色差信号に変換され、所定の圧縮フォーマット（たとえばＪＰＥＧ形式）に従って圧縮され、メモリ１３２に格納される。
【０１１６】
次に、このようにして撮影された画像を記録する方法について説明する。
【０１１７】
ＣＰＵ１１０は、メモリ１３２に格納された所定の圧縮フォーマットのデータにＧＰＳ位置取得ＢＬＫ１４６からメモリ１３２に出力された位置情報、シャッタースピード、ＩＳＯ感度などの付加情報をタグに記録して、所定の画像記録フォーマット（たとえばＥｘｉｆ形式）の画像ファイルを生成する。そして、ＣＰＵ１１０は、生成した画像ファイルをメモリ１３２に格納する。
【０１１８】
ＣＰＵ１１０は、メモリ１３２に格納された画像ファイルを、メディアＩＦ（１）１１４又メディアＩＦ（２）１１６を介して記憶媒体に保存する。それと同時に、ＣＰＵ１１０は、ＧＰＳ位置取得ＢＬＫ１４６からメモリ１３２に出力された位置情報を撮影ログとしてライトワンスメモリ１４０に保存する。これにより、撮影時の状況を証明可能な情報をライトワンスメモリ１４０に保存することができる。
【０１１９】
本実施の形態によれば、記憶媒体に保存された画像ファイルのタグ情報内の位置情報と、ライトワンスメモリに保存された位置情報とを比較することにより、記憶媒体に保存された画像ファイルが編集されたかどうかを事後的に確認することができる。したがって、撮影された画像の信頼性を高め、証拠性を上げることができる。
【０１２０】
なお、本実施の形態では、ＧＰＳ位置取得ＢＬＫ１４６により取得した位置情報をタグに保存したが、位置情報を撮影した画像に合成し、合成した画像を記憶媒体に記憶するようにしてもよい。なお、画像の合成には様々な公知の手法を用いることができる。
【０１２１】
＜第６の実施の形態＞
本発明の第１の実施の形態は、画像ファイルを記憶媒体に保存するときに、デジタルカメラ内のライトワンスメモリに付加情報を保存するものであるが、画像ファイルの信頼性を高める方法はこれに限らない。
【０１２２】
第６の実施の形態は、所定の間隔で時刻情報を取得し、デジタルカメラ内のライトワンスメモリに保存するものである。以下、第６の実施の形態のデジタルカメラ６について説明する。
【０１２３】
図６はデジタルカメラ６内部の概略構成を示すブロック図である。同図に示すように、デジタルカメラ６は、主として、ＣＰＵ１１０、シャッタースイッチ１１１、操作部１１２、メディアＩＦ（１）１１４、メディアＩＦ（２）１１６、ＴＧ１１８、レンズユニット１２０、シャッター・絞り１２２、撮像デバイス１２４、アナログ信号処理部１２６、Ａ／Ｄ変換器１２８、デジタル信号処理部１３０、メモリ１３２、ＲＯＭ１３４、画像表示部１３６、通信、オプションＩＦ１３８、ライトワンスメモリ１４０、ＧＰＳ位置取得ＢＬＫ１４６、タイマー１４８で構成される。
【０１２４】
タイマー１４８は、あらかじめ設定した時間までの残り時間をカウントし、残り時間が０となった時にＣＰＵ１１０に信号を出力する。ＣＰＵ１１０は、タイマー１４８から信号が入力されると、ＧＰＳ位置取得ＢＬＫ１４６に指令を出し、ＧＰＳ位置取得ＢＬＫ１４６は現在の位置情報を取得する。このようにして定期的に取得された位置情報は、ＧＰＳ位置取得ＢＬＫ１４６からメモリ１３２に出力され、デジタルカメラ６内部の時計（図示せず）の時刻情報と共に順次ライトワンスメモリ１４０に保存される。これにより、撮影時の状況を証明可能な情報をライトワンスメモリ１４０に保存することができる。
【０１２５】
以上のように構成された本実施の形態のデジタルカメラ６の作用について説明する。デジタルカメラ６の撮影処理についてはデジタルカメラ５と同一であるため、説明を省略し、記録処理について説明する。
【０１２６】
ＣＰＵ１１０は、メモリ１３２に格納された所定の圧縮フォーマットのデータにＧＰＳ位置取得ＢＬＫ１４６からメモリ１３２に出力された位置情報、デジタルカメラ６内部の時計（図示せず）の時刻情報、シャッタースピード、ＩＳＯ感度などの付加情報をタグに記録して、所定の画像記録フォーマット（たとえばＥｘｉｆ形式）の画像ファイルを生成する。そして、ＣＰＵ１１０は、生成した画像ファイルをメモリ１３２に格納する。
【０１２７】
ＣＰＵ１１０は、メモリ１３２に格納された画像ファイルを、メディアＩＦ（１）１１４又メディアＩＦ（２）１１６を介して記憶媒体に保存する。
【０１２８】
本実施の形態によれば、記憶媒体の画像ファイルのタグ情報内に記憶された撮影時の位置情報及び時刻情報と、ライトワンスメモリに保存された敵的に取得された位置情報及び時刻情報とを比較して、撮影時と撮影前後の位置関係を確認することにより、撮影時の位置情報の信頼性を上げ、画像ファイルに記憶された撮影時の位置情報や時刻情報が改竄されたかどうかを事後的に確認することができる。
【０１２９】
なお、本実施の形態では、時刻情報としてデジタルカメラの内部の時計から時刻情報を取得したが、ＧＰＳ位置取得ＢＬＫで時刻情報を取得するようにしてもよい。
【０１３０】
本発明の適用は、デジタルカメラに限定されるものではなく、カメラつき携帯電話機やビデオカメラ等の撮像装置にも適用することができる。また、デジタルカメラなどの装置に適用するプログラムとして提供することもできる。また、本発明は、上記実施の形態１〜６に限定されるものではなく、上記実施の形態を組み合わせて実施してもよい。
【図面の簡単な説明】
【０１３１】
【図１】デジタルカメラ１の電気的構成を示すブロック図である。
【図２】デジタルカメラ２の記憶処理の流れを示すフローチャートである。
【図３】デジタルカメラ３の電気的構成を示すブロック図である。
【図４】デジタルカメラ４の電気的構成を示すブロック図である。
【図５】デジタルカメラ５の電気的構成を示すブロック図である。
【図６】デジタルカメラ６の電気的構成を示すブロック図である。
【符号の説明】
【０１３２】
１、２、３、４、５、６：デジタルカメラ、１１０：ＣＰＵ、１１１：シャッタースイッチ、１１２：操作部、１１４：メディアＩＦ（１）、１１６：メディアＩＦ（２）、１１８：ＴＧ、１２０：レンズユニット、１２２：シャッター・絞り、１２４：撮像デバイス、１２６：アナログ信号処理部（ＣＤＳ／ＡＭＰ）、１２８：Ａ／Ｄ変換器、１３０：デジタル信号処理部、１３２：メモリ、１３４：ＲＯＭ、１３６：画像表示部、１３８：通信、オプションＩＦ、１４０：ライトワンスメモリ、１４２：誤り検出符号器、１４４：時刻取得ＢＬＫ、１４６：ＧＰＳ位置情報取得ＢＬＫ、１４８：タイマー
【図１】
2010098588.tif 000003
【図２】
2010098588.tif 000004
【図３】
2010098588.tif 000005
【図４】
2010098588.tif 000006
【図５】
2010098588.tif 000007
【図６】
2010098588.tif 000008